(57)【要約】【課題】簡易な構成により、長期にわたって汚れの付着を防止することができる印鑑及び印鑑セットを提供すること。【解決手段】所定の収容空間Ｓを空けて配された少なくとも一対の側部６を有する印鑑ケース３に収容される印鑑２であって、底面に印面が設けられた本体部と、前記本体部の幅方向の両端に設けられて、前記幅方向に突出する突出部２７とを備え、一方の前記突出部２７の先端部から他方の前記突出部２７の先端部までの長さ寸法が、前記一対の側部の内側同士の距離寸法よりも大きくなっており、前記突出部２７の下端部から前記印面までの長さ寸法が、前記一対の側部の内側の深さ寸法よりも小さくなっていることを特徴とする。【選択図】図１
2008126421.tif 000002
【特許請求の範囲】
【請求項１】
所定の収容空間を空けて配された少なくとも一対の側部を有する印鑑ケースに収容される印鑑であって、
底面に印面が設けられた本体部と、
前記本体部の幅方向の両端に設けられて、前記幅方向に突出する突出部とを備え、
一方の前記突出部の先端部から他方の前記突出部の先端部までの長さ寸法が、前記一対の側部の内側同士の距離寸法よりも大きくなっており、
前記突出部の下端部から前記印面までの長さ寸法が、前記一対の側部の内側の深さ寸法よりも小さくなっていることを特徴とする印鑑。
【請求項２】
前記突出部の先端部に、面取りされた先端面取り部が設けられていることを特徴とする請求項１に記載の印鑑。
【請求項３】
前記突出部の下端部に、面取りされた下端面取り部が設けられていることを特徴とする請求項１又は請求項２に記載の印鑑。
【請求項４】
前記底面から前記突出部の下端部に向けて漸次広がる傾斜部が設けられていることを特徴とする請求項１から請求項３のいずれか一項に記載の印鑑。
【請求項５】
前記側部の上端が傾斜していることを特徴とする請求項１から請求項４のいずれか一項に記載の印鑑。
【請求項６】
請求項１から請求項５のいずれか一項に記載の印鑑と、
前記印鑑ケースとを備えることを特徴とする印鑑セット。
【請求項７】
所定の収容空間を空けて配された少なくとも一対の側部を有する印鑑ケースと、前記印鑑ケースに収容される印鑑とを備える印鑑セットであって、
前記印鑑ケースは、
前記一対の側部の内側に設けられ、かつ互いに対向する一対の突起部を備え、
前記印鑑は、
その底面に設けられた印面を備えており、
前記底面の幅方向の長さ寸法は、
前記一対の側部の内側同士の距離寸法よりも小さく、かつ、前記一対の突起部の先端部同士の距離寸法よりも大きくなっており、
前記底面の幅方向における前記印面の長さ寸法は、
前記一対の突起部の先端部同士の距離寸法よりも小さくなっていることを特徴とする印鑑セット。
【発明の詳細な説明】
【技術分野】
【０００１】
本発明は、印鑑及びこれを収容する印鑑ケースを備える印鑑セットに関する。
【背景技術】
【０００２】
従来より、各種書類などに捺印するための大きさの異なる様々な印鑑が利用されている（例えば、特許文献１参照。）。
これら印鑑は、複数種類用意されているのが一般的であり、使用者は、それら複数の印鑑を使い分ける必要がある。すなわち、複数の印鑑の中から適正な印鑑を選択し、その選択した印鑑を各種書類の所定の箇所に捺印する。
これら印鑑は種類が多くなると、設置場所が煩雑になり、適正な印鑑を探すのが困難になってしまう。
そこで、複数の印鑑を収容する印鑑ケースが利用されている。これにより、複数の印鑑を収容することができ、設置場所を整理することができる。
【特許文献１】特開２００５−７８０３公報
【発明の開示】
【発明が解決しようとする課題】
【０００３】
しかしながら、上記のような印鑑及び印鑑ケースでは、複数の印鑑を収容することができるものの、収容時に、例えば印鑑ケースの底面と印鑑の印面とが接触して、印鑑及び印鑑ケースが、インクや朱肉などで汚れてしまうという問題がある。
【０００４】
本発明は、このような事情に鑑みてなされたものであって、簡易な構成により、長期にわたって汚れの付着を防止することができる印鑑及び印鑑セットを提供することを目的とする。
【課題を解決するための手段】
【０００５】
上記課題を解決するために、本発明は以下の手段を提供する。
本発明は、所定の収容空間を空けて配された少なくとも一対の側部を有する印鑑ケースに収容される印鑑であって、底面に印面が設けられた本体部と、前記本体部の幅方向の両端に設けられて、前記幅方向に突出する突出部とを備え、一方の前記突出部の先端部から他方の前記突出部の先端部までの長さ寸法が、前記一対の側部の内側同士の距離寸法よりも大きくなっており、前記突出部の下端部から前記印面までの長さ寸法が、前記一対の側部の内側の深さ寸法よりも小さくなっていることを特徴とする。
【０００６】
この発明においては、印鑑を収容空間に収容した状態で、突出部の下端部が側部の先端に当接することにより、印鑑が支持される。このとき、突出部の下端部から印面までの長さ寸法が、一対の側部の内側の深さ寸法よりも小さくなっていることから、印面とケースの底面とが接触しない。
これにより、印面とケースの底面とを接触させない状態で、容易に印鑑を収容することができる。
【０００７】
また、本発明は、前記突出部の先端部に、面取りされた先端面取り部が設けられていることを特徴とする。
【０００８】
この発明によれば、先端面取り部が設けられていることから、印鑑を容易に把持することができるだけでなく、ケース内に印鑑を入れ易くすることができる。
【０００９】
また、本発明は、前記突出部の下端部に、面取りされた下端面取り部が設けられていることを特徴とする。
【００１０】
この発明においては、印鑑を収容した状態で、突出部の下端部と側部の上端とが下端面取り部を介して線接触する。
これにより、突出部の下端部と側部の上端との接触面積を小さくすることができ、摩擦を低減させることができる。そのため、印鑑を収容空間内でスムーズに移動させることができる。
【００１１】
また、本発明は、前記底面から前記突出部の下端部に向けて漸次広がる傾斜部が設けられていることを特徴とする。
【００１２】
この発明によれば、傾斜部が設けられていることから、収容空間に印鑑を容易に差し込むことができる。
【００１３】
また、本発明は、前記側部の上端が傾斜していることを特徴とする。
【００１４】
この発明においては、側部の上端に支持された印鑑が、自重により、下方に移動する。
これにより、印鑑を迅速かつ容易に整理することができる。
【００１５】
また、本発明は、請求項１から請求項５のいずれか一項に記載の印鑑と、前記印鑑ケースとを備えることを特徴とする。
【００１６】
この発明によれば、請求項１から請求項５のいずれか一項に記載の印鑑と同様の効果を奏することができる。
【００１７】
また、本発明は、所定の収容空間を空けて配された少なくとも一対の側部を有する印鑑ケースと、前記印鑑ケースに収容される印鑑とを備える印鑑セットであって、前記印鑑ケースは、前記一対の側部の内側に設けられ、かつ互いに対向する一対の突起部を備え、前記印鑑は、その底面に設けられた印面を備えており、前記底面の幅方向の長さ寸法は、前記一対の側部の内側同士の距離寸法よりも小さく、かつ、前記一対の突起部の先端部同士の距離寸法よりも大きくなっており、前記底面の幅方向における前記印面の長さ寸法は、前記一対の突起部の先端部同士の距離寸法よりも小さくなっていることを特徴とする。
【００１８】
この発明においては、印鑑を収容空間に収容した状態で、底面の幅方向の両端部が突起部に当接することにより、印鑑が支持される。このとき、印面の長さ寸法は、突起部の間の距離寸法よりも小さくなっていることから、印面と突起部及びケースの底面などとが接触しない。
これにより、印面と突起部及びケースの底面とを接触させない状態で、容易に印鑑を収容することができる。
【発明の効果】
【００１９】
本発明によれば、印鑑の印面と印鑑ケースとを接触させない状態で、印鑑を収容することができることから、簡易な構成により、長期にわたって汚れの付着を防止することができる。
【発明を実施するための最良の形態】
【００２０】
（実施形態１）
以下、本発明の第１の実施形態における印鑑セットについて、図面を参照して説明する。
図１は、本発明の第１の実施形態としての印鑑セットを示したものである。
印鑑セット１は、複数の印鑑２と、これら複数の印鑑２を収容する印鑑ケース３とを備えている。
【００２１】
印鑑ケース３は、長方形状で板状の底面部７を備えている。底面部７の長辺部（短手方向の両端辺）７ａには、それら長辺部７ａから立ち上げられた一対の側壁部（側部）６が設けられている。すなわち、一対の側壁部６は、所定の間隔を空けて対向して配されている。この所定の間隔は、印鑑２が収容される収容空間Ｓとなる。側壁部６の上端には、手前側に向けて傾斜した側壁傾斜部１０がそれぞれ設けられている。つまり、側壁部６の上端は、手前側に向けて傾斜している。換言すれば、側壁部６の長手方向の一端側における鉛直方向の長さ寸法ＬＦは、他端側の鉛直方向の長さ寸法ＬＲよりも小さくなっている。
【００２２】
また、側壁部６の内面（互いに対向する対向面）には、内方に突出する突起部１１がそれぞれに設けられている。突起部１１は、側壁傾斜部１０に沿った全長にわたって延ばされている。すなわち、側壁傾斜部１０と突起部１１とは、互いに平行に延ばされている。
【００２３】
さらに、底面部７の一方の短辺部（長手方向の一端辺）７ｂには、この短辺部７ｂから立ち上げられた前壁部１２が設けられている。前壁部１２は、側壁部６の上端まで延ばされており、一対の側壁部６にわたって設けられている。
また、底面部７の他方の短辺部（長手方向の他端辺）７ｃには、この短辺部７ｃから立ち上げられた後壁部１５が設けられている。後壁部１５は、側壁部６の上端の手前（長さ方向の途中位置）まで延ばされており、一対の側壁部６にわたって設けられている。
すなわち、一対の側壁部６の前端は、前壁部１２によって覆われ、一方、後端は、底面部７から所定の高さまで後壁部１５によって覆われて、後壁部１５より上方（上端部）は開放された開放部１６となっている。
【００２４】
また、前壁部１２の内面側には、支持板１７が設けられている。支持板１７は、その上端から下端に向かうにしたがって前壁部１２から漸次離れていくように、前壁部１２に対して傾斜している。すなわち、前壁部１２は、一対の側壁傾斜部１０に直交して設置されている。
【００２５】
さらに、印鑑２ａは、図２に示すように、捺印時に把持される木製の本体部２０を備えている。なお、本体部２０は、複数種類用意されており、それぞれ異なる厚さ寸法を有している。
これら本体部２０は、直方体形状であって、かつ板状に延びる矩形部２２と、この矩形部２２の幅方向Ｗａ１の両端に設けられた一対の挟持部２１とを備えている。
矩形部２２の底面２２ａには、樹脂からなる長方形状の印面２５が取り付けられている。また、矩形部２２の一方の主面には、幅方向Ｗａ１の全長にわたって延びる凹部２６が形成されている。凹部２６は、指などで接触したり、目視したりすることにより、印面２５の上下を判別するためのものである。
【００２６】
挟持部２１は、矩形部２２の幅方向Ｗａ１の両端に取り付けられている。また、挟持部２１は、正面視して略Ｌ字状に形成されている。すなわち、挟持部２１の基端部には、幅方向Ｗａ１の外方に突出する突出部２７がそれぞれ設けられている。突出部２７の幅方向Ｗａ１の先端は、Ｒ状に面取り加工されており、この面取り加工された部分が先端面取り部３０となる。
【００２７】
また、挟持部２１の幅方向Ｗａ１に直交する方向の長さ寸法は、矩形部２２の長さ寸法よりも小さくなっている。そのため、矩形部２２は、挟持部２１の先端から幅方向Ｗａ１に直交する方向に突出している。
また、本体部２０の幅方向Ｗａ１の長さ寸法Ｗａ２（図２に示す）は、一対の側壁部６の内面同士の間の距離寸法Ｌ１（図１に示す）よりも大きくなっている。長さ寸法Ｗａ２は、一方の突出部２７の先端から他方の突出部２７の先端までの長さ寸法である。また、距離寸法Ｌ１は、一対の側壁部６に直交する方向であって、互いの内面同士の間の距離寸法である。
【００２８】
そのため、印鑑２ａの幅方向Ｗａ１が側壁傾斜部１０の双方に直交するように、一対の側壁部６の間の収容空間Ｓに印鑑２ａを配すると、印鑑２ａのそれぞれの突出部２７が、側壁部６から印鑑ケース３の幅方向Ｗｃの外方に突出するようになっている。そのため、印鑑２ａを収容空間Ｓに収容した状態で、突出部２７の下端部３１が側壁部６の上端面に当接して印鑑２ａが支持されるようになっている。すなわち、印鑑２ａは、突出部２７を介して側壁部６に載せられるようになっている。
【００２９】
また、印鑑２ａの下端部３１から印面２５までの長さ寸法Ｈａ１（図２に示す）は、印鑑ケース３の側壁部６の内側の最短の深さ寸法Ｈｃ１（図１に示す）よりも小さくなっている。深さ寸法Ｈｃ１は、側壁部６の上端から、側壁傾斜部１０に直交する方向の長さ寸法である。
さらに、印鑑２ａの下端部３１から印面２５までの長さ寸法Ｈａ１（図２に示す）は、印鑑ケース３の側壁部６の上端から突起部１１までの深さ寸法Ｈｃ２（図１に示す）よりも小さくなっている。深さ寸法Ｈｃ２は、側壁部６の上端から側壁傾斜部１０に直交する方向の突起部１１までの長さ寸法である。
【００３０】
そのため、印鑑２ａが、収容空間Ｓにおいて側壁部６の上端に支持された状態では、印面２５と印鑑ケース３の底面部７とが接触せず、さらには印面２５と印鑑ケース３の突起部１１とが接触しないようになっている。
【００３１】
また、図３に示すように、印鑑２ｂは、捺印時に把持される木製の本体部３３を備えている。なお、本体部３３は、複数種類用意されており、それぞれ異なる厚さ寸法を有している。
本体部３３は、直方体形状であって、かつ板状に延びる矩形部３４と、この矩形部３４の幅方向Ｗｂ１の両端に設けられた一対の挟持部３５とを備えている。
矩形部３４の一方の主面には、幅方向Ｗｂ１の全長にわたって延びる凹部２６が形成されている。
【００３２】
挟持部３５は、矩形部３４の幅方向Ｗｂ１の両端に取り付けられている。挟持部３５は、矩形部３４の幅方向Ｗｂ１に直交する方向の長さ寸法Ｈｂ１の全長にわたって延ばされている。そのため、矩形部３４の底面３４ａと挟持部３５の下端面３５ａとは面一になっている。
矩形部３４の底面３４ａの幅方向Ｗｂ１の中央部には、樹脂からなる長方形状の印面２５が取り付けられている。そして、挟持部３５の下端面３５ａには、印面２５は設けられておらず、解放領域とされている。
また、挟持部３５は、幅方向Ｗｂ１の先端部分が面取り加工されており、横断面が略半円形状に形成されている。すなわち、挟持部３５の先端部には、先端面取り部３６が形成されている。
【００３３】
さらに、本体部３３の幅方向Ｗｂ１の長さ寸法Ｗｂ２（図３に示す）は、一対の側壁部６の内面同士の間の距離寸法Ｌ１（図１に示す）以下に設定されている。長さ寸法Ｗｂ２は、一方の挟持部３５の先端（最突出点）から他方の挟持部３５の先端（最突出点）までの長さ寸法である。
また、幅方向Ｗｂ１における印面２５の長さ寸法Ｗｂ３は、一対の突起部１１の内面同士の間の距離寸法Ｌ２（図１に示す）よりも小さくなっている。
【００３４】
そのため、印鑑２ｂの幅方向Ｗｂ１が側壁傾斜部１０の双方に直交するように、一対の側壁部６の間の収容空間Ｓ内に印鑑２ｂを配すると、挟持部３５の下端面３５ａが突起部１１の上端面に当接して印鑑２ｂが支持されるようになっている。すなわち、挟持部３５を介して印鑑２ｂは突起部１１に載せられるようになっている。そのため、印鑑２ｂが収容空間Ｓにおいて突起部１１の上端面に支持された状態では、印面２５が一対の突起部１１の間に配され、印面２５と印鑑ケース３の底面部７とが接触せず、さらには印面２５と突起部１１とが接触しないようになっている。
【００３５】
また、印鑑２ｂの長さ寸法Ｈｂ１（図２に示す）は、印鑑ケース３の側壁部６の内側の最短の深さ寸法Ｈｃ１（図１に示す）よりも小さくなっている
さらに、印鑑２ｂの長さ寸法Ｈｂ１（図２に示す）は、印鑑ケース３の側壁部６の上端から突起部１１までの深さ寸法Ｈｃ２（図１に示す）よりも大きくなっている。
【００３６】
そのため、印鑑２ｂが収容空間Ｓにおいて突起部１１の上端面に支持された状態では、印鑑２ｂの上部が、側壁部６の上端から突出するようになっている。
【００３７】
次に、このように構成された本実施形態における印鑑セット１の作用について説明する。
例えば、印鑑２ａを印鑑ケース３に収容するときには、図４に示すように、印鑑２ａの幅方向Ｗａ１が側壁傾斜部１０の双方に直交するように、一対の側壁部６の間の収容空間Ｓに印鑑２ａを配する。すると、印鑑２ａのそれぞれの突出部２７が、側壁部６から印鑑ケース３の幅方向Ｗｃの外方に突出した状態になるので、この状態で印鑑２ａを解放する（指を離す）と、突出部２７の下端部３１が側壁部６の上端面に当接して印鑑２ａが支持される。このとき、側壁部６の上端に側壁傾斜部１０が設けられていることから、印鑑２ａは、突出部２７の下端部３１が側壁部６の上端面に対して摺動しながら、自重によって印鑑ケース３の前方側（手前側）に移動する。側壁部６の前方側には、支持板１７が設置されていることから、最前に配される印鑑２ａは、支持板１７によって支持されて、側壁傾斜部１０に直交する姿勢が保持される。そして、この印鑑２ａに他の印鑑２が重ねられていく。
【００３８】
また、印鑑２ｂを印鑑ケース３に収容するときには、印鑑２ｂの幅方向Ｗｂ１が側壁傾斜部１０の双方に直交するように、一対の側壁部６の間の収容空間Ｓに印鑑２ｂを配する。この状態で印鑑２ｂを解放すると、挟持部３５の下端面３５ａが突起部１１の上端面に当接して印鑑２ｂが支持される。そして、突起部１１は側壁傾斜部１０に平行に配されており、底面部７に対して傾斜していることから、印鑑２ｂは、挟持部３５の下端面３５ａが突起部１１の上端面に対して摺動しながら、自重によって印鑑ケース３の前方側（手前側）に移動する。このとき、挟持部３５の先端には、先端面取り部３６が形成されていることから、側壁部６の内面と挟持部３５との接触面積を減らすことにより摩擦を低減させることができ、収容空間Ｓ内において印鑑２ｂをスムーズに移動させることができる。
印鑑２ｂは、前方側に移動すると、すでに収容された印鑑２や支持板１７などによって支持される。このとき、印鑑２ｂの上部は、側壁部６の上端から上方に突出した状態となる。
【００３９】
なお、収容空間Ｓ内に印鑑２を配するとき、開放部１６が設けられていることから、この開放部１６を介して収容空間Ｓ内に印鑑２を移動させることができ、迅速かつ容易に収容することができる。
このように、収容空間Ｓ内に収容された印鑑２の印面２５は、底面部７や突起部１１などに接触することなく支持される。
【００４０】
一方、収容された印鑑２を取り出すときには、印鑑２の両端部を把持して引き出す。このとき、印鑑２の上部が側壁部６から上方に突出していることから、これら印鑑２を容易に把持することができる。また、先端面取り部３０，３６が設けられていることから、さらに容易に印鑑２を把持することができる。
そして、印鑑２を引き出すと、その空いたスペースに、積み上げられた印鑑２が自重により移動する。
印鑑２を使用した後は、その使用した印鑑２を、最後部に戻してもよいし、引き出した元の場所の印鑑２を後方に引き上げて、その空いたスペースに戻すようにしてもよい。このときも、自重によって複数の印鑑２が前方からそれぞれ密接して配されるのは言うまでもない。
【００４１】
以上より、本実施形態における印鑑セット１によれば、印面２５を底面部７や突起部１１に接触させない状態で印鑑２を収容することができることから、印鑑２や印鑑ケース３に対する汚れの付着を長期にわたって防止することができる。そのため、机の上など印鑑セット１の設置空間を、容易に整理することができるだけでなく、視覚的にも綺麗に維持することができる。
また、挟持部２１の先端に先端面取り部３０が設けられていることから、複数の印鑑２が積まれた状態で収容されても、印鑑２を容易に把持することができ、印鑑２の出し入れを容易に行うことができる。また、印鑑２を側壁部６に対して傾斜させた状態で収容空間Ｓ内に配し、それから本体部２０，３３が側壁部６に直交する方向に配されるように印鑑２を回転させるようにして載置することができる。そのため、印鑑２の出し入れをさらに容易に行うことができる。
【００４２】
また、側壁部６の上端には、側壁傾斜部１０が形成されていることから、印鑑２を自重によって手前側に移動させることができ、印鑑２をすき間無く収容することができる。また、捺印した印鑑２を常に最後部に戻すようにすれば、使用頻度の高い印鑑２を自然と上方側に集めることができる。そのため、それら使用頻度の高い印鑑２を、意識することなく自然に、取り易い位置に集めることができる。
【００４３】
なお、本実施形態においては、印鑑２の具体的形状を示したが、これに限ることはなく、その形状は適宜変更可能である。
図５は、印鑑２の第一の変形例を示した斜視図である。
この印鑑２においては、挟持部２１の長尺状に延びる部分の外面に、底面２２ａの近傍から突出部２７に向かうにしたがって漸次広がっていく傾斜部３８が形成されている。
これにより、印鑑２の収容時に挟持部２１の先端が邪魔することを防止することができ、印鑑２を収容空間Ｓ内に差し込み易くすることができる。
なお、突出部２７の先端には、先端面取り部３０を設けていない。
【００４４】
図６は、印鑑２の第二の変形例を示した斜視図である。
この印鑑２においては、突出部２７の下端部に、下端面取り部３９が形成されている。
そのため、側壁部６の上端面に印鑑２を載せたときに、突出部２７の下端部と側壁部６の上端面とを線接触させることができ、それら突出部２７の下端部と側壁部６の上端面との間の摩擦が軽減される。
これにより、印鑑２が側壁部６に支持された状態で、その印鑑２を移動させ易くすることができる。
【００４５】
図７は、印鑑２の第三の変形例を示した斜視図である。
この印鑑２においては、傾斜部３８、先端面取り部３０及び下端面取り部３９が設けられていない。
これにより、構成をより簡易にすることができ、コストを削減することができる。
【００４６】
図８は、印鑑２の第四の変形例を示した斜視図である。
この印鑑２においては、傾斜部３８、先端面取り部３０及び下端面取り部３９が設けられておらず、幅方向Ｗに直交する方向の挟持部２１の長さ寸法が、矩形部２２の長さ寸法と同一にされている。そのため、挟持部２１の下端面と矩形部２２の底面２２ａとが面一になっている。
これにより、構成を簡易にすることができ、コストを削減することができる。
【００４７】
図９（ａ）及び（ｂ）は、印鑑２の第五の変形例を示した図である。
この印鑑２においては、挟持部２１が設けられておらず、矩形部２２の両側面に突出部２７が直接取り付けられている。突出部２７は、正面視して略半円形状に形成されている。そのため、突出部２７の下端部は、面取り加工された下端面取り部３９が形成されている。
これにより、部品点数を減少させることができ、コストを削減することができる。
なお、図２及び図５から図９に示す印鑑２の構成を自由に組み合わせることができることは言うまでもない。
【００４８】
図１０は、印鑑２の第六の変形例を示した斜視図である。
この印鑑２においては、矩形部３４と挟持部３５とが一部品として一体的に形成されている。なお、挟持部３５の幅方向Ｗの先端には、先端面取り部３６は設けられていない。そのため、本体部３３が全体として直方体形状に形成されている。
これにより、構成を簡易にすることができ、コストを削減することができる。
【００４９】
なお、上記実施形態及び変形例において、矩形部２２，３４に挟持部２１，３５を取り付けるとしたが、これに限ることはなく、例えば図１０に示す印鑑２のように、矩形部２２，３４と挟持部２１，３５とを一部品として一体的に形成してもよい。
また、挟持部２１，３５を、矩形部２２，３４に着脱可能に取り付けることができる挟持ユニットとしてもよい。これにより、既存の印鑑を容易に利用することができる。
また、Ｌ字状の挟持部２１の長尺部分の外面に、面取り部を設けるようにしてもよい。これにより、側壁部６の内面と挟持部２１との間の摩擦を軽減させることができる。
【００５０】
また、印鑑２を複数種類用意するとしたが、これに限ることはなく、一種類であってもよい。例えば、印鑑２ａだけであってもよい。この場合、側壁部６に突起部１１を設けなくてもよい。また、例えば、印鑑２ｂだけであってもよい。
さらに、印鑑ケース３において、側壁傾斜部１０を設けなくてもよい。
例えば、図１１に示すように、側壁部６の上端面を底面部７と平行にする。すなわち、印鑑ケース３を、全体として直方体形状に形成された横置き型とする。
これにより、印鑑ケース３の構成を簡易にすることができるだけでなく、スペースの利用効率を向上させることができる。
また、側壁部６の上端面（先端面）を底面部７に対して、垂直に延ばしてもよい。すなわち、印鑑ケース３を縦置き型とする。そして、印鑑２を鉛直方向に積層していくようにする。
これにより、スペースの利用効率を向上させつつ、印鑑２の自重によって整理し易くすることができる。
【００５１】
また、それぞれの印面２５のサイズ（縦寸法又は横寸法）を異ならせるようにしてもよい。印面２５のサイズがそれぞれ異なるものであっても、それら印面２５を底面２２ａに取り付けることにより、複数サイズの印面２５を有する印鑑２を同じ印鑑ケース３に容易に収容することができる。
また、印面２５が樹脂からなるとしたが、これに限ることはなく、材質等は適宜変更可能である。さらに、印鑑２について、外部のインクを印面２５に付着させてから押印するタイプのものでもよいし、印面２５にあらかじめインクを浸透させておくタイプのものでもよい。
なお、本発明の技術範囲は上記の実施形態に限定されるものではなく、本発明の趣旨を逸脱しない範囲において、種々の変更を加えることが可能である。
【図面の簡単な説明】
【００５２】
【図１】本発明に係る印鑑セットの第１の実施形態を示す全体斜視図である。
【図２】図１の印鑑の１つを拡大して示す斜視図である。
【図３】図２の印鑑の異なる種類の印鑑を示す斜視図である。
【図４】図１の印鑑ケースに印鑑を収容した様子を示す斜視図である。
【図５】図２の印鑑の第一の変形例を示す斜視図である。
【図６】図２の印鑑の第二の変形例を示す斜視図である。
【図７】図２の印鑑の第三の変形例を示す斜視図である。
【図８】図２の印鑑の第四の変形例を示す斜視図である。
【図９】図２の印鑑の第五の変形例を示す図であって、（ａ）は印鑑の正面図、（ｂ）は印鑑の側面図である。
【図１０】図３の印鑑の第六の変形例を示す斜視図である。
【図１１】図１の印鑑ケースの変形例を示す斜視図である。
【符号の説明】
【００５３】
１    印鑑セット
２    印鑑
３    印鑑ケース
６    側壁部（側部）
１１  突起部
２０，３３  本体部
２５  印面
２７  突出部
３０  先端面取り部
３５ａ  下端面
３８  傾斜部
３９  下端面取り部
Ｓ    収容空間
【図１】
2008126421.tif 000003
【図２】
2008126421.tif 000004
【図３】
2008126421.tif 000005
【図４】
2008126421.tif 000006
【図５】
2008126421.tif 000007
【図６】
2008126421.tif 000008
【図７】
2008126421.tif 000009
【図８】
2008126421.tif 000010
【図９】
2008126421.tif 000011
【図１０】
2008126421.tif 000012
【図１１】
2008126421.tif 000013